(57)【特許請求の範囲】
【請求項１】
ゴーグル枠（１）と、このゴーグル枠（１）に嵌め込まれたゴーグルレンズ（２）と、前記ゴーグル枠（１）の左右に連結されたヘッドバンド（３）から成り、前記ゴーグル枠（１）の上部に換気用ファンシステム（４）の換気ファンユニット（４ａ）を取り付け、ゴーグル枠（１）の左右のヘッドバンド（３）の連結位置から下方寄りの一端部に前記換気用ファンシステム（４）の電源ユニット（４ｂ）を取り付け、同他端部に前記換気用ファンシステム（４）のスイッチユニット（４ｃ）を取り付けたスポーツ用ゴーグルであって、
前記ゴーグル枠（１）の上部に開口（６ａ）を設け、前記ゴーグル枠（１）の左右のヘッドバンド（３）の連結位置から下方寄りの両端部にそれぞれ開口（６ｂ、６ｃ）を設け、前記開口（６ａ）に通気状態を維持するようにして前記換気ファンユニット（４ａ）を取り付け、前記開口（６ｂ、６ｃ）に通気状態を維持するようにして前記電源ユニット（４ｂ）、スイッチユニット（４ｃ）をそれぞれ取り付けたことを特徴とするスポーツ用ゴーグル。
【請求項２】
前記換気ファンユニット（４ａ）を前記開口（６ａ）に着脱可能として取り付け、前記電源ユニット（４ｂ）、スイッチユニット（４ｃ）を前記開口（６ｂ、６ｃ）にそれぞれ着脱可能として取り付けたことを特徴とする請求項１記載のスポーツ用ゴーグル。
【請求項３】
前記スイッチユニット（４ｃ）を、換気ファンユニット（４ａ）に設けた換気ファン（９）の操作スイッッチ（１２）と誤作動防止スイッッチ（１３）を有したものとし、ゴーグル枠（１）の外側から前記操作スイッチ（１２）を操作可能とし、ゴーグル枠（１）の内側から前記誤作動防止スイッチ（１３）を操作可能としたことを特徴とする請求項１または２記載のスポーツ用ゴーグル。
【請求項４】
前記ゴーグルレンズ（２）の上周縁部内側に段差部（１５）を形成したものとし、この段差部（１５）に沿って、換気ファンユニット（４ａ）から電源ユニット（４ｂ）への電気配線またはプリント配線、および換気ファンユニット（４ａ）からスイッチユニット（４ｃ）への電気配線またはプリント配線をしたことを特徴とする請求項１記載のスポーツ用ゴーグル。
【請求項５】
前記ゴーグルレンズ（２）の上周縁部内側に段差部（１５）を形成したものとし、この段差部（１５）に沿って、換気ファンユニット（４ａ）から電源ユニット（４ｂ）への電気配線またはプリント配線、および換気ファンユニット（４ａ）からスイッチユニット（４ｃ）への電気配線またはプリント配線をしたことを特徴とする請求項２記載のスポーツ用ゴーグル。
【発明の詳細な説明】
【０００１】
【発明の属する技術分野】
この発明は、スキー場で使用したり、オートバイでツーリングする時などに使用するスポーツ用ゴーグルに関するものである。
【０００２】
【従来の技術】
従来、この種のスポーツ用ゴーグルには、ゴーグルレンズおよびゴーグル着用者の視力矯正用メガネのレンズの曇りを防止するために、換気用ファンシステムを備えたものが存在する。
【０００３】
前記換気用ファンシステムは、換気ファンユニット、電源ユニットおよびスイッチユニットからなり、例えば実公平２−１９７８７号公報に示されるように、これらのユニットをすべてゴーグル枠の上側周壁部に取り付けたものとしたり、例えば実公昭６３−２３０７３号公報に示されるように、換気ファンユニットのみをゴーグル枠の上側周壁部の中央部に取り付け、電源ユニットおよびスイッチユニットをゴーグル枠のヘッドバンドの片側に取り付けたものとしている。
【０００４】
【発明が解決しようとする課題】
しかしながら、上記従来のスポーツ用ゴーグルでは、実公平２−１９７８７号公報に示されるものは、換気ファンユニット、電源ユニットおよびスイッチユニットをすべてゴーグル枠の上側周壁部に取り付けているため、この上側周壁部がクッション性に乏しくフィット感に劣ると共に、上側周壁部には開口を設ける余地がなく、上側周壁部からの空気の流通が少ないので、換気効率が悪くなるという課題を有していた。また、このスポーツ用ゴーグルは、ゴーグル枠の上側周壁部に取り付けられたスイッチユニットを操作する場合に、手指をゴーグル着用者の眼の上方位置に持ってこなければならないので、操作がし難かったりするという課題を有していた。
【０００５】
さらに、上記従来のスポーツ用ゴーグルでは、実公昭６３−２３０７３号公報に示されるものは、電源ユニットおよびスイッチユニットをゴーグル枠のヘッドバンドの片側に取り付けたものとしているため、これらを取り付けた側が重くなり、このゴーグルを着用した場合に重量バランスが崩れ、ゴーグルの装着感が悪くなるという課題を有していた。
【０００６】
そこで、この発明は、上記従来のスポーツ用ゴーグルが有する課題を解決するものであり、フィット感に優れ、換気効率が良いのはいうまでもなく、換気用ファンシステムのスイッチ操作がし易く、しかもゴーグルを着用した場合に重量バランスが崩れることもなく、装着感が良いスポーツ用ゴーグルを提供することを目的としてなされたものである。
【０００７】
【課題を解決するための手段】
そのため、この発明のスポーツ用ゴーグルは、ゴーグル枠１と、このゴーグル枠１に嵌め込まれたゴーグルレンズ２と、前記ゴーグル枠１の左右に連結されたヘッドバンド３から成り、前記ゴーグル枠１の上部に換気用ファンシステム４の換気ファンユニット４ａを取り付け、ゴーグル枠１の左右のヘッドバンド３の連結位置から下方寄りの一端部に前記換気用ファンシステム４の電源ユニット４ｂを取り付け、同他端部に前記換気用ファンシステム４のスイッチユニット４ｃを取り付け、前記ゴーグル枠１の上部に開口６ａを設け、前記ゴーグル枠１の左右のヘッドバンド３の連結位置から下方寄りの両端部にそれぞれ開口６ｂ、６ｃを設け、前記開口６ａに通気状態を維持するようにして前記換気ファンユニット４ａを取り付け、前記開口６ｂ、６ｃに通気状態を維持するようにして前記電源ユニット４ｂ、スイッチユニット４ｃをそれぞれ取り付けたものとしている。
【０００８】
そして、この発明のスポーツ用ゴーグルは、前記換気ファンユニット４ａを前記開口６ａに着脱可能として取り付け、前記電源ユニット４ｂ、スイッチユニット４ｃを前記開口６ｂ、６ｃにそれぞれ着脱可能として取り付けたものとしている。
【０００９】
さらに、この発明のスポーツ用ゴーグルは、前記スイッチユニット４ｃを、換気ファンユニット４ａに設けた換気ファン９の操作スイッッチ１２と誤作動防止スイッッチ１３を有したものとし、ゴーグル枠１の外側から前記操作スイッチ１２を操作可能とし、ゴーグル枠１の内側から前記誤作動防止スイッチ１３を操作可能としたものとしている。
【００１０】
また、この発明のスポーツ用ゴーグルは、前記ゴーグルレンズ２の上周縁部内側に段差部１５を形成したものとし、この段差部１５に沿って、換気ファンユニット４ａから電源ユニット４ｂへの電気配線またはプリント配線、および換気ファンユニット４ａからスイッチユニット４ｃへの電気配線またはプリント配線をしたものとしている。
【００１２】
【発明の実施の形態】
以下、この発明のスポーツ用ゴーグルの実施の形態を、図面に基づいて詳細に説明する。
【００１３】
この発明のスポーツ用ゴーグルは、図１〜４に示すように、ゴーグル枠１と、このゴーグル枠１に嵌め込まれたゴーグルレンズ２と、前記ゴーグル枠１の左右に連結されたヘッドバンド３から成る。ゴーグル枠１の上部には、換気用ファンシステム４の換気ファンユニット４ａを取り付け、ゴーグル枠１の左右のヘッドバンド３の連結位置から下方寄りの一端部には、前記換気用ファンシステム４の電源ユニット４ｂを取り付け、同他端部には、前記換気用ファンシステム４のスイッチユニット４ｃを取り付けたものとしている。
【００１４】
ゴーグル枠１は、軟質の合成樹脂などから成り、上部の上側周壁部１ａには、その中央部および両端部に仕切り枠５で仕切った開口６ａを設け、中央部の開口６ａには前記換気ファンユニット４ａを着脱可能として取り付け、両端部の開口６ａには通気状態を維持するようにポリウレタンフォーム等の通気性を有するカバー７で被ったものとしている。前記換気ファンユニット４ａを開口６ａに着脱可能として取り付けるには、換気ファンユニット４ａを仕切り枠５内に嵌め込み、ユニット本体に突設した係合爪４１を前記仕切り枠５に形成した係合孔５１に着脱可能として係合するようにしている。なお、前記カバー７はクッション性を有しているので、フィット感に優れたものとなる。
【００１５】
前記換気ファンユニット４ａは、図５に示したように、吸気口８ａと排気口８ｂを有したユニット本体内に、軸流ファンなどの換気ファン９が設けられている。ユニット本体は、二分割体としており、一方に前記吸気口８ａを形成し、他方に前記排気口８ｂを形成すると共にモータ１０を固着し、このモータ１０の出力軸に前記換気ファン９を取り付けたものとしている。
【００１６】
さらに、ゴーグル枠１は、左右のヘッドバンド３の連結位置から下方寄りの両端部には、それぞれ仕切り枠１１で仕切った開口６ｂ、６ｃを設け、開口６ｂには前記電源ユニット４ｂを着脱可能として取り付け、開口６ｃには前記スイッチユニット４ｃを着脱可能として取り付けている。前記電源ユニット４ｂ、スイッチユニット４ｃを開口６ｂ、６ｃに着脱可能として取り付けるには、電源ユニット４ｂ、スイッチユニット４ｃを仕切り枠１１内に着脱可能として嵌め込むようにしている。
【００１７】
前記電源ユニット４ｂは、ユニット本体内に乾電池などの電源が内蔵されると共に、外側にポリウレタンフォーム等の通気性を有するカバー７で被った開口（図示せず）が形成され、内側にスリット状の開口４２が複数形成されており、開口６ｂの通気状態を維持するようにしている。
【００１８】
前記スイッチユニット４ｃは、ユニット本体内にスイッッチ機構が内蔵されると共に、外側にポリウレタンフォーム等の通気性を有するカバー７で被った開口（図示せず）が形成され、内側にスリット状の開口４３が複数形成されており、開口６ｃの通気状態を維持するようにしている。そして、このスイッチユニット４ｃは、換気ファンユニット４ａに設けた換気ファン９の操作スイッッチ１２と誤作動防止スイッッチ１３を有したものとし、ゴーグル枠１の外側から前記操作スイッチ１２を操作可能とし、ゴーグル枠１の内側から前記誤作動防止スイッチ１３を操作可能としたものとしている。この誤作動防止スイッチ１３は、操作スイッチ１２の誤作動を防止するものであり、誤作動防止スイッチ１３をＯＦＦ状態にしていないと、前記操作スイッチ１２をＯＮ状態にしても換気ファン９が回転しないようにしている。従って、ゴーグルの着用時には、誤作動防止スイッチ１３をＯＦＦ状態にしておき、操作スイッチ１２をＯＮ、ＯＦＦ状態に操作することによって、換気ファン９の駆動、停止を行えるようにすればよいが、ゴーグルの非着用時には、誤作動防止スイッチ１３をＯＮ状態にしておき、操作スイッチ１２をＯＮ、ＯＦＦ状態に操作しても、換気ファン９の駆動、停止を行えないようにしておけばよい。
【００１９】
ゴーグルレンズ２は、透明合成樹脂製のレンズ板などからなり、図６に示したように、内外二枚のレンズ板を使用し、内側レンズ板２ａを外側レンズ板２ｂより一回り小さいものとしており、内側レンズ板２ａの周端部にクロロプレンラバー等の柔軟性を有する枠体１４を貼り合わせ、この枠体１４を介在させて内側レンズ板２ａを外側レンズ板２ｂに接合することにより、内部空間を形成したものとしている。さらに、前記内側レンズ板２ａを外側レンズ板２ｂに接合させることにより、ゴーグルレンズ２の周縁部内側には段差部１５が形成されるようにしているが、この段差部１５はゴーグルレンズ２に内外二枚のレンズ板を使用することなく、一枚のレンズ板であっても、曲げ加工などをすることにより適宜形成することができる。
【００２０】
前記ゴーグルレンズ２の段差部１５には、図７に示したように、その上周縁部に沿って、換気ファンユニット４ａから電源ユニット４ｂへの電線１６、および換気ファンユニット４ａからスイッチユニット４ｃへの電線１７を電気配線をすることにより、これらの電線１６、１７がゴーグル外部や内部に食み出すことなく、非常に配線し易いものとなる。なお、図示したものは、前記電気配線を段差部１５の上周縁部の全域に沿ったものとしたが、その上周縁部の一部に沿ったものとしてもよく、また電気配線に代えて、プリント配線としてもよい。
【００２１】
以上のように構成したこの発明のスポーツ用ゴーグルは、スキー場や、雨天時のオートバイでのツーリング時などに使用する場合には、湿気が多いのでゴーグルレンズや視力矯正用メガネのレンズは非常に曇り易くなっている。このような場合、ゴーグルを着用する前に先ず、誤作動防止スイッチ１３をＯＦＦ状態にし、それからゴーグルを着用し、操作スイッチ１２をＯＮ、ＯＦＦ状態に操作することによって、換気ファン９の駆動、停止を行えるようにしておく。
【００２２】
そして、着用中に使用者の体温でゴーグル内部の空気が温められゴーグルレンズ２や視力矯正用メガネのレンズが曇ってきたら、操作スイッチ１２をＯＮ状態に操作することによって、換気ファン９を駆動させる。この換気ファン９の駆動によって、ゴーグル内部の温められた空気が換気ファンユニット４ａの吸気口８ａから吸入され排気口８ｂから排出されると共に、この排出に見合う冷えた外気が開口６ａ、６ｂ、６ｃから吸入され、ゴーグル内部が換気されるので、ゴーグルレンズ２や視力矯正用メガネのレンズの曇りが解消される。そして、これらの曇りが解消されれば、操作スイッチ１２をＯＦＦ状態に操作することによって、換気ファン９を停止させてもよいが、予防のために操作スイッチ１２をＯＦＦ状態に操作することなく、換気ファン９を駆動させ続けていてもよい。なお、ゴーグルを着用後、直ぐに操作スイッチ１２をＯＮ状態に操作することによって、換気ファン９を駆動させ続けていれば、ゴーグルレンズ２や視力矯正用メガネのレンズの曇りを未然に防止することもできる。
【００２３】
また、この発明のスポーツ用ゴーグルでは、前記操作スイッチ１２をＯＮ、ＯＦＦ状態に操作する場合、着用者の手指をゴーグルの斜め下方向から操作スイッチ１２に持っていけばよいので、操作スイッチ１２を操作する手指が着用者の視界に入り難いものとなる。
【００２４】
さらに、この発明のスポーツ用ゴーグルは、晴天時のオートバイでのツーリング時など、湿気が少なくゴーグルレンズや視力矯正用メガネのレンズが曇り難いときに用いる製品態様に変更するには、以下のようにすれば容易に行うことができる。
【００２５】
先ず、ゴーグル枠１からゴーグルレンズ２を取り外すと共に、換気ファンユニット４ａをゴーグル枠１の上部の仕切り枠５内から取り外し、この仕切り枠５内に開いた開口６ａをポリウレタンフォーム等の通気性を有するカバー７で被ったものとする。さらに、ゴーグル枠１の左右のヘッドバンド３の連結位置から下方寄りの両端部の仕切り枠１１内から電源ユニット４ｂおよびスイッチユニット４ｃを取り外す。
【００２６】
そして、これら電源ユニット４ｂおよびスイッチユニット４ｃのユニット本体と同形で、内部に電源もスイッチ機構を有さない空ユニット２１、２２を用意し、これら空ユニット２１、２２を前記仕切り枠１１内に嵌め込むことにより開口６ｂ、６ｃに着脱可能として取り付ければ、図１１〜１３に示したように、湿気が少なくゴーグルレンズや視力矯正用メガネのレンズが曇り難いときに用いる製品態様に変更することができる。
【００２７】
なお、前記空ユニット２１、２２には、ポリウレタンフォーム等の通気性を有するカバー７で被った開口（図示せず）が形成されており、開口６ｂ、６ｃの通気状態を維持するようにしている。
【００２８】
【発明の効果】
この発明のスポーツ用ゴーグルは、以上に述べたように構成されているので、フィット感に優れ、換気効率が良いのはいうまでもなく、換気用ファンシステムのスイッチ操作がし易く、しかもゴーグルを着用した場合に重量バランスが崩れることもなく、装着感が良いものとなる。
【図面の簡単な説明】
【図１】この発明のスポーツ用ゴーグルの一実施形態を示す斜視図である。
【図２】図１に示すこの発明のスポーツ用ゴーグルのヘッドバンドを省略して示す平面図である。
【図３】図１に示すこの発明のスポーツ用ゴーグルの側面図である。
【図４】図１に示すこの発明のスポーツ用ゴーグルの分解斜視図である。
【図５】この発明のスポーツ用ゴーグルの換気ファンユニットの分解斜視図である。
【図６】この発明のスポーツ用ゴーグルのゴーグルレンズを背面側から見た斜視図である。
【図７】この発明のスポーツ用ゴーグルのゴーグルレンズの上周縁部内側に形成した段差部に沿って、電線を電気配線する状態を示す説明図である。
【図８】この発明のスポーツ用ゴーグルのゴーグルレンズ、換気用ファンシステム、カバーをすべて取り外した状態を示す斜視図である。
【図９】図８に示すこの発明のスポーツ用ゴーグルのヘッドバンドを省略して示す平面図である。
【図１０】図８に示すこの発明のスポーツ用ゴーグルの側面図である。
【図１１】この発明のスポーツ用ゴーグルをゴーグルレンズや視力矯正用メガネのレンズが曇り難いときに用いるように変更した製品態様を示す斜視図である。
【図１２】図１１に示すこの発明のスポーツ用ゴーグルのヘッドバンドを省略して示す平面図である。
【図１３】図１１に示すこの発明のスポーツ用ゴーグルの側面図である。
【符号の説明】
１  ゴーグル枠
２  ゴーグルレンズ
３  ヘッドバンド
４  換気用ファンシステム
４ａ  換気ファンユニット
４ｂ  電源ユニット
４ｃ  スイッチユニット
９  換気ファン
１２  操作スイッチ
１３  誤作動防止スイッチ
１５  段差部
【図１】
0004470085.tif 000002
【図２】
0004470085.tif 000003
【図３】
0004470085.tif 000004
【図４】
0004470085.tif 000005
【図５】
0004470085.tif 000006
【図６】
0004470085.tif 000007
【図７】
0004470085.tif 000008
【図８】
0004470085.tif 000009
【図９】
0004470085.tif 000010
【図１０】
0004470085.tif 000011
【図１１】
0004470085.tif 000012
【図１２】
0004470085.tif 000013
【図１３】
0004470085.tif 000014